(57)【要約】      （修正有）【課題】使い勝手を向上させることが可能なカウンタを提供する。【解決手段】カウンタ１０は、カウンタ本体２０と、該カウンタ本体２０に対して着脱可能なシャワーヘッド５０と、を備える。カウンタ本体２０に取り付けられたシャワーヘッド５０は、カウンタ本体２０とともに物を載せるための載置面５１を有する。シャワーヘッド５０は、カウンタ本体２０に対して前後にスライド可能に取り付けられてもよい。また、シャワーヘッド５０は、シャワー水を吐出する第一吐水状態と、前記シャワー水よりも狭い範囲に吐水する第二吐水状態Ｍ２と、を少なくとも含む吐水状態を切替可能なスイッチを有してもよい。【選択図】図２
2016059752.tif 000002
【特許請求の範囲】
【請求項１】
カウンタ本体と、
該カウンタ本体に対して着脱可能なシャワーヘッドと、を備え、
前記カウンタ本体に取り付けられた前記シャワーヘッドが前記カウンタ本体とともに物を載せるための載置面を有することを特徴とするカウンタ。
【請求項２】
前記カウンタ本体に取り付けられた前記シャワーヘッドが前後にスライド可能であることを特徴とする請求項１に記載のカウンタ。
【請求項３】
前記シャワーヘッドは、シャワー水を吐出する第一吐水状態と、前記シャワー水よりも狭い範囲に吐水する第二吐水状態と、を少なくとも含む吐水状態を切替可能なスイッチを有することを特徴とする請求項１又は請求項２に記載のカウンタ。
【請求項４】
前記カウンタ本体に取り付けられた前記シャワーヘッドの傾きを変える傾き変更手段が設けられていることを特徴とする請求項１〜請求項３のいずれか一項に記載のカウンタ。
【発明の詳細な説明】
【技術分野】
【０００１】
本発明は、カウンタに関する。
【背景技術】
【０００２】
浴室等には、物を載せるためのカウンタが設けられている。特許文献１に示されるユニットバスルームは、防水床パンの上方に形成されたカウンタに貫通穴が形成され、この貫通穴にシャワーヘッドが立った状態で挿着され、防水床パンとカウンタとの間の収納空間にシャワーホースが収納されている。前記貫通穴からシャワーヘッドが離脱した時、前記貫通穴からシャワーホースが引き出される。
【先行技術文献】
【特許文献】
【０００３】
【特許文献１】実開平３−１２８７６１号公報
【発明の概要】
【発明が解決しようとする課題】
【０００４】
上記ユニットバスルームは、カウンタに物を載せる際、カウンタの貫通穴に対して立った状態で挿着されたシャワーヘッドが邪魔となることがある。
尚、上記のような問題は、浴室のカウンタに限らず、洗面化粧台のカウンタ等、種々のカウンタについても同様に存在する。
【０００５】
本発明は、使い勝手を向上させることが可能なカウンタを提供する目的を有している。
【課題を解決するための手段】
【０００６】
本発明のカウンタは、カウンタ本体と、
該カウンタ本体に対して着脱可能なシャワーヘッドと、を備え、
前記カウンタ本体に取り付けられた前記シャワーヘッドが前記カウンタ本体とともに物を載せるための載置面を有する、態様を有する。
【０００７】
すなわち、カウンタ本体にシャワーヘッドを取り付けると物を載せる面積が増えるので、使い勝手を向上させることが可能となる。
【発明の効果】
【０００８】
本発明によれば、使い勝手を向上させることが可能なカウンタを提供することができる。
【図面の簡単な説明】
【０００９】
【図１】カウンタを有する浴室の例を示す図である。
【図２】カウンタの外観を例示する斜視図である。
【図３】カウンタの要部を例示する正面図である。
【図４】（ａ）は取付部材の上面側を例示する平面図、（ｂ）は取付部材の正面側を例示する正面図、である。
【図５】（ａ）はシャワーヘッドの吐水面を例示する図、（ｂ）はシャワーヘッドの側面を例示する図、である。
【図６】収納空間の様子を例示する図である。
【図７】（ａ）は変形例としてカウンタ本体の間にシャワーヘッドを取り付けたカウンタを示す斜視図、（ｂ）は変形例としてカウンタ本体の架橋部の上にシャワーヘッドを取り付けたカウンタの要部を示す正面図、である。
【図８】カウンタを有する洗面化粧台の例を示す正面図である。
【図９】（ａ）はシャワーヘッドを水平に配置した例を示す側面図、（ｂ）はシャワーヘッドを上に傾けた例を示す側面図、である。
【図１０】（ａ），（ｂ）は取付部材の外観を例示する斜視図である。
【図１１】（ａ）はシャワーヘッドの変形例を示す側面図、（ｂ），（ｃ）は取付部材に対してシャワーヘッドが動かないように保持される例を模式的に示す図である。
【発明を実施するための形態】
【００１０】
以下、本発明の実施形態を説明する。むろん、以下の実施形態は本発明を例示するものに過ぎず、実施形態に示す特徴の全てが発明の解決手段に必須になるとは限らない。
【００１１】
（１）本技術の概要：
まず、図１〜１１を参照して本技術の概要を説明する。尚、各図は整合していないことがある。
【００１２】
本技術のカウンタ１０は、カウンタ本体２０と、該カウンタ本体２０に対して着脱可能なシャワーヘッド５０と、を備えている。前記カウンタ本体２０に取り付けられた前記シャワーヘッド５０は、前記カウンタ本体２０とともに物Ｇ１を載せるための載置面５１を有している。このため、カウンタ本体２０にシャワーヘッド５０を取り付けると物Ｇ１を載せる面積が増える。従って、本技術は、使い勝手を向上させることが可能なカウンタを提供することができる。尚、カウンタ本体２０には、図７（ａ）や図８に示す分割されたカウンタ本体２０Ａ，２０Ｂ等も含まれる。
【００１３】
前記カウンタ本体２０に取り付けられた前記シャワーヘッド５０が前後にスライド可能であると、シャワーヘッド５０の吐水位置を変えることができる。従って、本態様は、使い勝手をさらに向上させることが可能となる。
【００１４】
ここで、上記シャワーヘッドが前後にスライド可能であることには、シャワーヘッドのスライド方向が厳密な前後方向であることの他、厳密な前後方向からずれた方向、例えば、上下や左右にずれた方向であることも含まれる。
尚、カウンタ本体にシャワーヘッドがスライド不能に取り付けられる態様も、本技術に含まれる。
【００１５】
前記シャワーヘッド５０は、シャワー水を吐出する第一吐水状態Ｍ１と、前記シャワー水よりも狭い範囲に吐水する第二吐水状態Ｍ２と、を少なくとも含む吐水状態を切替可能なスイッチ６０を有してもよい。この態様は、カウンタ本体２０に取り付けられたシャワーヘッド５０からシャワー水よりも狭い範囲に吐水することができるので、吐水パイプからの吐水等、シャワーを使用しない吐水のための吐水部を不要にすることができる。前記吐水部の清掃が不要となるので、本態様は、お手入れを容易にすることが可能なカウンタを提供することができる。むろん、シャワーヘッドが吐水状態を切替不能である態様も、本技術に含まれる。
尚、水には、湯も含まれる。
【００１６】
本カウンタ１０は、前記カウンタ本体２０に取り付けられた前記シャワーヘッド５０の傾きを変える傾き変更手段７０が設けられてもよい。この態様は、カウンタ本体２０に取り付けられたシャワーヘッド５０の傾きが変わるので、使い勝手をさらに向上させることが可能となる。
【００１７】
（２）カウンタを有する浴室の具体例：
図１は、具体例としてカウンタ１０を有する浴室１を示している。尚、上下左右前後の位置関係を説明する際には、図１に示すようにカウンタ１０を見る位置を基準にする。また、湯水は、湯と水の少なくとも一方を意味する。
【００１８】
図１に示す浴室１は、浴槽２の外側が洗い場３とされ、湯水を排出するための排水口６が床に設けられている。浴槽２と洗い場３の両方に接する壁Ｗ１には、カウンタ１０、鏡４、フック５、等が取り付けられている。フック５には、カウンタ本体２０から取り外したシャワーヘッド５０を立てた状態で引っ掛けることが可能である。
【００１９】
図２は、カウンタ本体２０にシャワーヘッド５０を取り付けた状態のカウンタ１０の外観を示し、シャワーヘッド５０が前後にスライドする様子を二点鎖線で示している。図３は、取付部材３０によりシャワーヘッド５０をカウンタ本体２０に取り付けた様子を示し、シャワーヘッド５０の拡大図も示している。図４（ａ），（ｂ）は、取付部材３０を示している。図５は、シャワーヘッド５０を示している。図６は、収納部２５を切断して収納空間ＳＰ１の様子を示している。尚、符号Ｄ１は、前後方向を示している。
【００２０】
図２等に示すカウンタ本体２０は、壁Ｗ１に固定され、略平坦な上面２１に物Ｇ１を載せることが可能である。図３，６に示すように、カウンタ本体２０の下面２２には、収納空間ＳＰ１を形成する収納部２５が固定されている。収納空間ＳＰ１には、湯水混合水栓４０の吐水調節部４１が配置され、シャワーヘッド５０を繋いだシャワーヘッドホース４５が収納される。シャワーヘッド５０は、カウンタ本体２０の側面２３に対向する位置においてカウンタ本体２０に取り付けられる。
収納部２５の前面２６には、水栓４０の操作部４２が取り付けられている。収納部２５の側面２７には、ホース４５を引き出すための開口２８が形成されている。
【００２１】
図３及び図４（ａ），（ｂ）等に示すように、取付部材３０には、シャワーヘッド５０が入る溝３２を形成した溝形成部３１、及び、カウンタ本体２０に固定される延出部３５を有している。溝形成部３１の左右縁部には、上方へ延出した壁部３１ａ，３１ｂが形成されている。これらの壁部３１ａ，３１ｂの上端縁には、シャワーヘッド５０の溝５７，５７に対してスライド可能に挿入される挿入部３３，３３が形成されている。左右の挿入部３３，３３は、互いに近付く方向へ出ている。従って、シャワーヘッド５０は、取付部材３０に対してスライド可能に挿入され、任意のスライド位置で保持される。前後方向Ｄ１における溝形成部３１の長さは、長手方向Ｄ２におけるシャワーヘッド５０の長さよりも短くされている。また、溝形成部３１には、後縁部から前方へ凹んだ凹み３４が形成されている。この凹み３４は、後方からシャワーヘッドホース４５が入ることを許容する。延出部３５には、ねじＳＣ１を通す挿通孔３６が形成されている。カウンタ本体２０の側面２３に延出部３５側の壁部３１ｂの外側を当ててカウンタ本体２０の下面２２に延出部３５を接触させると、挿通孔３６にねじＳＣ１を通してカウンタ本体２０に螺合させることができる。これにより、溝３２が上を向いた状態で取付部材３０がカウンタ本体２０に固定される。
【００２２】
図６等に示す湯水混合水栓４０は、ストレート水を吐出する専用の吐水パイプが無く、供給される湯及び水を適宜混合してホース４５からシャワーヘッド５０へ流出させる。水栓４０の吐水調節部４１は、ホース４５、並びに、湯の供給管、及び、水の供給管が接続され、操作部４２の操作位置に応じた量の湯水がシャワーヘッド５０に供給されるようにする。操作部４２は、水量調整と水温調整を一つのレバーで操作可能であり、例えば、左右に動かすと水温を変えることができ、前後に動かすと水量を変えることができる。むろん、操作部は、水量調整用の操作部と水温調整用の操作部とが分かれていてもよく、レバー式以外にも、ハンドル式等でもよい。
【００２３】
図２等に示すシャワーヘッド５０は、長手方向Ｄ２を前後方向Ｄ１に向けた状態で取付部材３０によりカウンタ本体２０に対して取付可能である。図１〜３等に示すように、カウンタ本体２０に取り付けられた状態のシャワーヘッド５０は、略平坦な上面（載置面５１）に物Ｇ１を載置することが可能である。尚、載置とは、載せて置くことを意味する。シャワーヘッド５０の載置面５１は、カウンタ本体２０の上面２１と略面一となる。この略面一とは、互いの面がほぼ合わせられていることを意味し、１０ｍｍ以下（好ましくは５ｍｍ以下）の段差は略面一に含まれるものとする。従って、カウンタ本体２０に取り付けられたシャワーヘッド５０は、カウンタ本体２０とともに物Ｇ１を載せるための載置面５１を有することになる。
【００２４】
図５（ａ），（ｂ）にも示すように、シャワーヘッド５０の吐水面５２は、載置面５１とは反対の面である。吐水面５２には、湯水を吐出する吐水孔５６ａ，５６ｂを複数有するヘッド吐水部５６が設けられている。内側の吐水孔５６ａは、シャワー水吐出モード（第一吐水状態Ｍ１）とストレート水吐出モード（第二吐水状態Ｍ２）の両方において湯水を吐出する。尚、図３に示すように、第一吐水状態Ｍ１はシャワー水を吐出する状態であり、第二吐水状態Ｍ２はシャワー水よりも狭い範囲に吐水する状態である。「ストレート水」は、便宜上、シャワー水よりも狭い範囲に吐出される湯水とし、複数の吐水孔５６ａから吐出される複数本の湯水を含む。外側の吐水孔５６ｂは、第一吐水状態Ｍ１で湯水を吐出し、第二吐水状態Ｍ２で湯水を吐出しない。尚、内側の吐水孔５６ａは、第一吐水状態Ｍ１で湯水を吐出せず第二吐水状態Ｍ２で湯水を吐出してもよい。
【００２５】
シャワーヘッド５０の先端面５３、すなわち、ホース４５の接続部位（末端部５４）とは反対側の面には、吐水状態を切替可能なスイッチ６０が設けられている。このスイッチ６０は、吐水状態をシャワー水吐出モード（第一吐水状態Ｍ１）、又は、ストレート水吐出モード（第二吐水状態Ｍ２）に切り替えることができる。図５（ａ）等に示すスイッチ６０は、支軸を中心に揺動運動をする操作部の両端を交互に押すことによって、吐水状態を切り替えることができる。例えば、スイッチ６０の左側を押すとシャワー水吐出モードに切り替えるようにし、スイッチ６０の右側を押すとストレート水吐出モードに切り替えるようにしてもよい。シャワーヘッド５０は、図示しない流路切替機構により、スイッチ６０の左側が押されるとホース４５からの湯水を吐水孔５６ａ，５６ｂに供給し、スイッチ６０の右側が押されるとホース４５からの湯水を内側の吐水孔５６ａに供給して外側の吐水孔５６ｂに供給しない。
【００２６】
シャワーヘッド５０の末端部５４には、吐水調節部４１に繋がるホース４５を接続した傾動機構５８が設けられている。傾動機構５８は、シャワーヘッド５０の長手方向Ｄ２に沿って末端側へ突出する方向と、吐水面５２から略直交する突出方向と、の間でホース４５を傾動させることが可能である。従って、例えば、図２，６に示すようにカウンタ本体２０の横にシャワーヘッド５０を取り付けた場合、ホース４５を吐水面５２から略直交する突出方向に向けることができる。また、図１に示すフック５に立てた状態でシャワーヘッド５０を引っ掛けた場合、ホース４５をシャワーヘッド５０の長手方向Ｄ２に近い方向に向けることができる。
【００２７】
シャワーヘッド５０の左右の側面５５，５５には、それぞれ、取付部材３０の挿入部３３がスライド可能に入る溝５７が形成されている。シャワーヘッド５０の各溝５７に取付部材３０の挿入部３３を挿入すると、シャワーヘッド５０がカウンタ本体２０に対して前後方向Ｄ１へスライド可能に取り付けられる。このため、カウンタ本体２０に取り付けられたシャワーヘッド５０を前後に動かしても、載置面５１はカウンタ本体の上面２１とともに物Ｇ１を載置可能である。
【００２８】
尚、カウンタ本体２０及びシャワーヘッド５０の主要部の材質は、特に限定されず、熱可塑性樹脂（例えばアクリロニトリルブタジエンスチレン樹脂（ＡＢＳ）やポリフェニレンサルファイド（ＰＰＳ）等）や熱硬化性樹脂といった樹脂材料等とすることができる。
【００２９】
次に、カウンタ１０の作用及び効果を説明する。
取り外されているシャワーヘッド５０の長手方向Ｄ２を前後に向け、末端部５４の側から溝５７，５７に取付部材３０の挿入部３３，３３を挿入させると、カウンタ本体２０の横にシャワーヘッド５０を取り付けることができる。この時、シャワーヘッドの載置面５１がカウンタ本体の上面２１に合わせられているので、カウンタ本体２０とともにシャワーヘッド５０にも物Ｇ１を載せることができる。従って、カウンタ１０に物Ｇ１を載置可能な面積がシャワーヘッドの載置面５１の分、増えている。
【００３０】
ここで、シャワーヘッド５０のスイッチ６０を第二吐水状態Ｍ２側にすると、下を向いているヘッド吐水部５６からストレート水が吐出される。従って、このストレート水を床上の洗面器で受ける等、従来の吐出パイプから吐出されるストレート水等と同様に使用することができる。また、図２に示すようにカウンタ本体２０に取り付けられたシャワーヘッド５０を前後にスライドさせると、シャワーヘッド５０の吐水位置を変えることができる。従って、シャワーヘッド５０の吐水位置を床上の洗面器の位置に合わせる等、利便性の高い使い方が可能である。カウンタ本体２０に取り付けられたシャワーヘッド５０が前後にスライドしても、シャワーヘッドの載置面５１がカウンタ本体の上面２１に合ったままであるので、カウンタ本体２０とともにシャワーヘッド５０にも物Ｇ１を載せる使い方が可能である。尚、シャワーヘッド５０を前側に動かした時、末端部５４から下方へ出たホース４５が取付部材３０の凹み３４に入るようにされている。
【００３１】
さらに、シャワーヘッド５０を前側に動かすと、取付部材の凹み３４に当たったホース４５が後側へ傾動し、シャワーヘッドの溝５７，５７から取付部材の挿入部３３，３３が外れてカウンタ本体２０からシャワーヘッド５０が取り外される。ここで、シャワーヘッド５０のスイッチ６０を第一吐水状態Ｍ１側にすると、ヘッド吐水部５６からシャワー水が吐出される。ユーザーは、シャワーヘッド５０を手で持ってシャワー水を使用することができ、図１に示すようにシャワーヘッド５０を壁Ｗ１のフック５に引っ掛けてシャワー水を使用することもできる。
【００３２】
以上説明したように、本カウンタ１０は、シャワーヘッド５０を種々の態様で使用することができる。また、シャワーヘッド５０を従来の吐水パイプ等の代わりにすることができるので、吐水パイプ等の清掃が不要となり、お手入れが容易である。さらに、カウンタ本体２０に取り付けられたシャワーヘッド５０が前後にスライドするうえ、カウンタ本体の上面２１ともにシャワーヘッドの載置面５１に物Ｇ１を載せることができるので、本カウンタ１０は、利便性が高い。
【００３３】
（３）変形例：
本発明は、種々の変形例が考えられる。
例えば、シャワーヘッドのスイッチは、操作部をスライドさせることにより吐水状態を切り替えるスライドスイッチ、操作部を押すことにより吐水状態を切り替える押しボタンスイッチ、等でもよい。
また、シャワーヘッドのスイッチは、３種類以上の吐水状態を切り替えるためのスイッチでもよい。このスイッチは、例えば、シャワー水吐出モード（第一吐水状態Ｍ１）と、ストレート水吐出モード（第二吐水状態Ｍ２）と、シャワー水よりも狭い範囲、且つ、ストレート水よりも広い範囲に吐水する弱シャワー水吐出モード（第三吐水状態）とを切り替えるためのスイッチでもよい。
シャワーヘッドの載置面、及び、カウンタ本体の上面は、略平坦面に限定されず、緩やかに湾曲した面、物を置く凹みを有する面、物を引っ掛ける突起を有する面、等でもよい。
シャワーヘッドは、取付部材を用いてカウンタ本体に取り付ける以外にも、カウンタ本体に取付用の形状を形成する等により取付部材を用いずにカウンタ本体に取り付けてもよい。
カウンタ本体に対して着脱可能なシャワーヘッドは、複数設けられてもよい。また、カウンタ本体に対して着脱可能なシャワーヘッドは、カウンタ本体の左側に配置される以外にも、カウンタ本体の右側、カウンタ本体の前側、カウンタ本体の後側、等に配置されてもよく、カウンタ本体の上面に挟まれる箇所に配置されてもよい。
【００３４】
図７（ａ）は、変形例としてカウンタ本体２０Ａ，２０Ｂの間にシャワーヘッド５０を取り付けたカウンタ１０を示している。尚、上述した具体例と同様の箇所には同じ符号を付して詳しい説明を省略する。以下の変形例も、同様である。
図７（ａ）に示すカウンタ本体２０Ａ，２０Ｂは、取り付けられた時のシャワーヘッド５０の左右において壁Ｗ１に固定され、略平坦な上面２１Ａ，２１Ｂに物Ｇ１を載せることが可能である。シャワーヘッド５０は、左のカウンタ本体２０Ａの側面２３Ａに対向し、且つ、右のカウンタ本体２０Ｂの側面２３Ｂに対向する位置においてカウンタ本体２０Ａ，２０Ｂに対して着脱可能であり、前後方向Ｄ１へスライド可能に取り付けられる。カウンタ本体２０Ａ，２０Ｂに取り付けられたシャワーヘッド５０の載置面５１は、カウンタ本体の上面２１Ａ，２１Ｂに挟まれる箇所において該上面２１Ａ，２１Ｂと略面一となる。
【００３５】
図７（ｂ）は、変形例としてカウンタ本体２０の架橋部２０ｃの上にシャワーヘッド５０を取り付けたカウンタ１０の要部を示している。図７（ｂ）に示すカウンタ本体２０は、取り付けられた時のシャワーヘッド５０の左に物Ｇ１を載置可能な上面２１Ａを有する側部２０ａが設けられ、該シャワーヘッド５０の右に物Ｇ１を載置可能な上面２１Ｂを有する側部２０ｂが設けられている。側部２０ａ，２０ｂは架橋部２０ｃで繋がり、シャワーヘッド５０を挿入するための溝３２が側部２０ａ，２０ｂと架橋部２０ｃとで形成されている。左の側部２０ａには、取り付けられた時のシャワーヘッド５０に対向する側面２３Ａに挿入部３３が形成されている。右の側部２０ｂには、取り付けられた時のシャワーヘッド５０に対向する側面２３Ｂに挿入部３３が形成されている。これらの挿入部３３，３３は、シャワーヘッド５０の側面の溝５７，５７に対してスライド可能に挿入される。架橋部２０ｃの上においてカウンタ本体２０に取り付けられたシャワーヘッド５０の載置面５１は、カウンタ本体の上面２１Ａ，２１Ｂに挟まれる箇所において該上面２１Ａ，２１Ｂと略面一となる。
【００３６】
図７（ａ），（ｂ）に示す変形例も、カウンタ本体にシャワーヘッド５０を取り付けると物Ｇ１を載せる面積が増え、物Ｇ１を載置可能な状態を維持しながらシャワーヘッド５０を前後にスライドさせて吐水位置を前後に変えることができる。従って、これらの変形例のカウンタ１０も、利便性が高い。
【００３７】
さらに、図８及び図９（ａ），（ｂ）に示すように、洗面化粧台１０１に本技術のカウンタ１０を設けてもよい。洗面化粧台１０１は、上部に洗面ボウル１０３及びカウンタ１０を設けた洗面キャビネット１０２と、この洗面キャビネット１０２の上に設けられたミラーキャビネット１０４とを有している。洗面キャビネット１０２の上部には、湯水混合水栓４０を構成する吐水調節部４１及び操作部４２が取り付けられている。洗面ボウル１０３は、シャワーヘッド５０から吐出された湯水を受けることが可能である。洗面ボウルの主要部の材質は、特に限定されず、人造大理石、セラミックス、等とすることができる。カウンタ１０は、吐水調節部４１及び操作部４２よりも上に設けられている。ミラーキャビネット１０４は、ミラーキャビネット本体１０５と、このミラーキャビネット本体１０５の前面に取り付けられた鏡１０６とを有している。
【００３８】
本洗面化粧台１０１のカウンタ１０は、図７（ａ）で示したように、カウンタ本体２０Ａ，２０Ｂの間にシャワーヘッド５０が取り付けられている。シャワーヘッド５０が略水平に保持されている時、カウンタ本体２０Ａ，２０Ｂに取り付けられたシャワーヘッド５０の載置面５１は、カウンタ本体の上面２１Ａ，２１Ｂに挟まれる箇所において該上面２１Ａ，２１Ｂと略面一となる。
【００３９】
本カウンタ１０は、図９（ａ），（ｂ）に示すように、カウンタ本体２０に取り付けられたシャワーヘッド５０の傾きを変える傾き変更手段７０が設けられている特徴を有する。尚、図９（ａ），（ｂ）では、カウンタ本体２０Ａ，２０Ｂを総称して符号２０で表している。
図１０（ａ）は、シャワーヘッド５０をカウンタ本体２０に対してスライド可能且つ傾動可能に取り付けるための取付部材１３０の外観を示している。図７（ａ）を参照して説明すると、カウンタ本体２０Ａ，２０Ｂの側面２３Ａ，２３Ｂにはそれぞれフリーストップヒンジ７１（傾き変更手段７０）のハウジング７１ａが埋め込まれ、このハウジング７１ａから突出した軸７１ｂが溝形成部３１の壁部３１ａ，３１ｂに固定されている。フリーストップヒンジ７１は、カウンタ本体の側面２３Ａ，２３Ｂに対して取付部材１３０を傾動可能に連結し、且つ、任意の回転角度で取付部材１３０を停止状態に保持する。これにより、取付部材１３０に挿入されるシャワーヘッド５０が回転軸ＡＸ１を中心として傾動可能となり、且つ、任意の回転角度で停止状態に保持される。
【００４０】
図１０（ａ）に示す取付部材１３０には、シャワーヘッド５０が入る溝３２が形成されている。取付部材１３０の左右縁部には、上方へ延出した壁部３１ａ，３１ｂが形成されている。これらの壁部３１ａ，３１ｂの上端縁には、シャワーヘッド５０の溝５７，５７に対してスライド可能に挿入される挿入部３３，３３が形成されている。従って、シャワーヘッド５０は、取付部材１３０に対してスライド可能に挿入され、挿入部３３と溝５７との摩擦力により任意のスライド位置で保持される。ゴム、エラストマー、等といった摩擦力を高める材料を挿入部３３に設けてもよい。取付部材１３０の後縁部から前方へ凹んだ凹み３４は、後方からシャワーヘッドホース４５が入ることを許容する。また、取付部材１３０には、前縁部から後方へ大きく凹んだ凹み１３４が形成されている。取付部材１３０にシャワーヘッド５０が挿入された時、凹み１３４によりシャワーヘッド５０のヘッド吐水部５６が取付部材１３０に隠されず、ヘッド吐水部５６から湯水を吐出することができる。
【００４１】
図９（ａ）に示すように取付部材１３０が略水平に保持されている時、図８に示すようにシャワーヘッドの載置面５１がカウンタ本体の上面２１Ａ，２１Ｂに合わせられているので、カウンタ本体２０Ａ，２０Ｂとともにシャワーヘッド５０にも物Ｇ１を載せることができる。カウンタ本体２０Ａ，２０Ｂに取り付けられたシャワーヘッド５０が前後にスライドしても、シャワーヘッドの載置面５１がカウンタ本体の上面２１Ａ，２１Ｂに合ったままであるので、カウンタ本体２０Ａ，２０Ｂとともにシャワーヘッド５０にも物Ｇ１を載せる使い方が可能である。尚、図９（ａ）では、前方へスライドさせたシャワーヘッド５０のヘッド吐水部５６からストレート水が吐出される様子（第二吐水状態Ｍ２）を示している。
図９（ｂ）に示すように取付部材１３０が回転軸ＡＸ１を中心として上に傾いた状態で保持されている時、ヘッド吐水部５６から前方斜め下へ湯水が吐出される。また、シャワーヘッド５０は、挿入部３３，３３に沿って前方斜め上、及び、後方斜め下へスライド可能である。尚、図９（ｂ）では、前側へスライドさせたシャワーヘッド５０のヘッド吐水部５６からシャワー水が吐出される様子（第一吐水状態Ｍ１）を示している。
【００４２】
上記傾き変更手段７０を有する本カウンタ１０は、カウンタ本体２０Ａ，２０Ｂに取り付けられたシャワーヘッド５０の傾きが変わるので、利便性が高い。
尚、カウンタ本体２０Ａ，２０Ｂに対してフリーストップヒンジ７１，７１のハウジング７１ａ，７１ａを前後にスライド可能に取り付けると、シャワーヘッド５０を上に傾いた状態で前後に動かすことができるので、利便性がさらに向上する。
【００４３】
さらに、図１０（ｂ）に示すように、シャワーヘッド５０のスライド位置を保持するための凸部１３５を取付部材１３０に設けてもよい。図１０（ｂ）に示す取付部材１３０の壁部３１ａ，３１ｂには、シャワーヘッド５０の溝５７，５７への挿入方向とは異なる方向（上）へ凸とされた凸部１３５，１３５が形成されている。
図１１（ａ）は、凸部１３５を挿入可能な凹部１５５を溝５７に設けたシャワーヘッド５０を示し、取付部材１３０の位置を二点鎖線で示している。図１１（ａ）には、溝５７に対して凹部１５５Ａ，１５５Ｂが形成されていることが示されている。図示していない反対側の溝５７にも、同様の凹部１５５Ａ，１５５Ｂが形成されているものとする。図１１（ａ）は、凹部１５５に凸部１３５が挿入されておらず、取付部材１３０にシャワーヘッド５０が一番奥まで挿入されている様子を示している。
【００４４】
図１１（ｂ）は、回転軸ＡＸ１を中心として取付部材１３０が上に傾いている時に前側の凹部１５５Ａに凸部１３５が入るまでシャワーヘッド５０を前側へ引き出した様子を示している。凹部１５５Ａに凸部１３５が挿入されているので、シャワーヘッド５０は、後退せず、図１１（ｂ）に示すスライド位置に保持される。図１１（ｃ）は、シャワーヘッド５０をさらに前側へ引き出した様子を示している。凹部１５５Ｂに凸部１３５が挿入されているので、シャワーヘッド５０は、後退せず、図１１（ｃ）に示すスライド位置に保持される。
上記凸部１３５及び上記凹部１５５を有する本カウンタ１０は、シャワーヘッド５０が斜めに傾いていても凹部１５５が凸部１３５に引っ掛かり、この引っ掛かった位置でシャワーヘッド５０確実に保持されるので、利便性が高い。
【００４５】
尚、カウンタ本体に取り付けられたシャワーヘッドがスライド可能でなくても、使い勝手を向上させる効果が得られる。
【００４６】
（４）結び：
以上説明したように、本発明によると、種々の態様により、使い勝手を向上させることが可能なカウンタ等の技術を提供することができる。むろん、従属請求項に係る構成要件を有しておらず独立請求項に係る構成要件のみからなる技術等でも、上述した基本的な作用、効果が得られる。
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【００４７】
１０…カウンタ、２０，２０Ａ，２０Ｂ…カウンタ本体、
２１，２１Ａ，２１Ｂ…上面、２３，２３Ａ，２３Ｂ…側面、２５…収納部、
３０，１３０…取付部材、３１…溝形成部、３２…溝、３３…挿入部、
４０…水栓、４１…吐水調節部、４２…操作部、４５…ホース、
５０…シャワーヘッド、５１…載置面、５７…溝、６０…スイッチ、
７０…傾き変更手段、
Ｄ１…前後方向、Ｄ２…長手方向、Ｇ１…物、
Ｍ１…第一吐水状態、Ｍ２…第二吐水状態。
【図１】
2016059752.tif 000003
【図２】
2016059752.tif 000004
【図３】
2016059752.tif 000005
【図４】
2016059752.tif 000006
【図５】
2016059752.tif 000007
【図６】
2016059752.tif 000008
【図７】
2016059752.tif 000009
【図８】
2016059752.tif 000010
【図９】
2016059752.tif 000011
【図１０】
2016059752.tif 000012
【図１１】
2016059752.tif 000013